【事件の表示】
　特願２００２−５１２９１０「フォトプリンタによる周辺デバイスの制御」拒絶査定不服審判事件〔平成１４年　１月２４日国際公開、ＷＯ０２／０７０７６、平成１６年　２月１２日国内公表、特表２００４−５０４１８２〕について、次のとおり審決する。
【結　論】
　本件審判の請求は、成り立たない。
【理　由】
 
１．手続の経緯・本願発明
　本願は、２００１年７月２日（パリ条約による優先権主張外国庁受理２０００年７月５日、米国）を国際出願日とする出願であって、平成１８年１１月７日付けで拒絶査定がされ、これに対して平成１９年２月１３日に拒絶査定不服審判が請求されたものである。
　本願の発明は、出願当初の明細書の特許請求の範囲の請求項１ないし２３に記載されたものと認められるところ、その請求項１に記載された発明（以下「本願発明」という。）は、次のとおりのものである。
　
「ａ）表示可能なディスプレイと、１つ以上の選択メカニズムとを含むディジタルカメラと、
　ｂ）接続リンクを介して前記ディジタルカメラに接続されるフォトプリンタであって、前記ディジタルカメラの表示可能なディスプレイを制御するように動作可能なフォトプリンタと、を含むフォトプリンタ構成。」
　
　なお、上記「本願発明」に関して、一部明確でない点が存在するものの、以下のとおり、本願の明細書を参酌した上で一応文言どおりに解釈できるので、請求項１の記載のまま認定することとする。
　まず、原審審査官は、「フォトプリンタ構成」を不明確と指摘しているが、一般的に、パソコンのＯＳや周辺機器、ハードウェアの組み合わせのことを「システム構成」と称しているように、「フォトプリンタ構成」は、「フォトプリンタと周辺機器との組み合わせ」を意味するものとして理解できる。
　また、「１つ以上の選択メカニズム」については、「選択メカニズム」に含まれる範囲が不明確ともいえるが、明細書には、「ディジタルカメラは、ＬＣＤなどの表示可能なディスプレイ、及びボタンやその他の指令入力などの１つ以上の選択メカニズムを含む。」（段落【０００５】）、「フォトプリンタのユーザ・インターフェースは顧客に満足を与えるために重要であり、印刷用に選択される画像、ならびに選択できる様々な印刷、改良、及びフォーマットのオプションをユーザにアドバイスしなければならない。」（段落【００１９】）、「オプションで、パッド５３又はボタン５４などの選択メカニズムを介したユーザの入力結果を出すよう、フォトプリンタ３０が指令する。」（段落【００２１】）、及び、「ディジタル写真の選択は、フォトプリンタ３０又はディジタルカメラ５０上の選択メカニズムで行うことができ、選択したディジタル写真はディスプレイ５２上に提供される。」（段落【００２４】）との記載があることから、「選択メカニズム」とは、「パッド、ボタン、その他の指令入力」の手段であって、画像、印刷オプション、フォーマット等を選択する手段である「選択メカニズム」として、文言どおりに解釈できる。
　
２．引用された刊行物記載の発明
（刊行物１について）
　これに対して、原査定の拒絶の理由に引用された特開平１０−１０７９８１号公報（以下、「刊行物１」という。）には、次の事項が記載されている。（下線は、当審にて付与した。）
　
（ａ）「【０００８】本発明は上記の課題を解決するため、
パーソナルコンピュータを使用することなく、デジタルカメラに直接接続して撮影画像を所望の形態で印刷が可能な小型で簡便かつ安価な印刷装置を提供する
　
（ｂ）「【００１１】
【発明の実施の形態】以下、本発明の実施の形態を図面を参照しながら説明する。図１(a),(b) は、一実施の形態における電子スチルカメラ（デジタルカメラ）とプリンタ（印刷装置）を接続した状態を示す外観斜視図であり、同図(a) はデジタルカメラを示し、同図(b) はプリンタを示している。
【００１２】本実施の形態においては、
プリンタからデジタルカメラへの指示により、デジタルカメラ内の撮影済み画像のコマ数や、その解像度に関するデータをプリンタ側に転送させ、プリンタがそのデータに基ずいて表示情報を生成して再転送し、デジタルカメラの表示用メモリに書き込んでデジタルカメラの表示装置に表示させることにより、解像度毎の撮影済みコマ数などデジタルカメラが表示できないカメラ内部の情報等を表示報知させる
【００１３】先ず、一方のデジタルカメラ１は、同図(a) に示すように、カメラ本体部２とレンズユニット部３からなっている。カメラ本体部２は、操作機構部分が上面と背面（図の手前側）に集約され、前面（図の向こう側）はマークや外装模様の他には何も配置されていない。
【００１４】
カメラ本体部２の背面には、中央に大きくカラーＬＣＤからなるビューファインダ４が配設され
動作モードを画像撮影モード（ＲＥ）と画像再生モード（ＰＬ）に切り換えるためのモード切換スイッチ６が配設されている
撮影記録済みの画像を順次呼び出して見るための「＋」キー１１及びいま見ている画像の前の画像に戻るための「−」キー１２が配設され
通信端子１３には通信ケーブル１４の一端のプラグが差し込まれる
　
（ｃ）「【００１６】次に、
他方のプリンタ１５は
通信端子１９には、通信ケーブル１４の他端のプラグが差し込まれる
　
（ｄ）「【００３２】図３に示すように、トップメニューには、上に「ＭＥＮＵ」の英文字が表示され、その下方に上下二段に合計６個のアイコンが表示される。先頭位置（上段左端）のアイコン５１には下に「ＬＡＹＯＵＴ」の英文字が添描される。その時計回りに、アイコン５２には「ＣＡＬＥＮＤＡＲ」の英文字、アイコン５３には「ＭＩＮＩ」の英文字、アイコン５４には「ＰＯＳＴＣＡＲＤ」の英文字、アイコン５５には「ＣＯＬＬＡＧＥ」の英文字、アイコン５６には「ＩＮＤＥＸ」の英文字が夫々添描されている。最初の「ＬＡＹＯＵＴ」アイコン５１の英文字の下にカーソル５７が表示されている。つまり、このトップメニューの初期表示では、先頭位置の「ＬＡＹＯＵＴ」アイコン５１が選択されている。尚、カメラには、画面に表示する文字データをカメラ内部で発生することができる機能を有するタイプと、そうでないタイプがある。そこで、プリンタ１５はカメラ１に接続されたときカメラ１の機種を認識する。そして、文字やカーソル等の文字データをそれ自体で発生できる前者のタイプのカメラ１に対しては、上記英文字とカーソルに対応するキャラクタコードと、その表示位置（アドレス）を指定するデータとをカメラ１側に転送し、カメラ１側で上記英文字とカーソルのイメージデータ（ビットマップデータ）を発生させて、プリンタ１５側からイメージデータとして転送するアイコン５１〜５６を含むトップメニュー画面とともにカメラ１のビューファインダ４に表示させる。また、後者のタイプのカメラ１に対しては、プリンタ１５側からアイコン５１〜５６を含むトップメニュー画面のイメージデータをカメラ１側に転送すると共に、プリンタ１５側で予め記憶している英文字とカーソルのイメージデータを夫々生成して、それらのアドレスと共に転送するようにしている。
【００３３】トップメニュー画面でのアイコンの選択では、「＋」キー１８ｂを入力操作（押下操作）して、時計回り方向へアイコン５２、アイコン５３、アイコン５４、・・・と順次選択を切り替えることができ、選択されたアイコンの英文字の下にカーソル５７が移動する。また、「−」キー１８ａを入力操作すると反時計回り方向へ順次選択を切り替えることができる。この場合も、上記選択されたアイコンの英文字の下にカーソル５７が移動する。このように、「＋」キー１８ａ又は「−」キー１８ｂは、いずれかが入力操作されると、メニューの選択や後述するページの切り替えなど、プリンタ１５の機能が選択され或はデジタルカメラの機能が制御される。
【００３４】上記のトップメニューで所望のアイコンを選択した時点で「ＳＥＴ」キー１８ｃを入力操作すると、その選択したアイコンの処理モードに移行することができる。このように、「ＳＥＴ」キー１８ｃは、確定キーであり、これが入力操作されると「ＥＡＳＹ」キー１８ｅや「＋」キー１８ａ又は「−」キー１８ｂで選択された機能、画像等が確定され且つ動作モードが次の動作モードに移行する。
」
　
（ｅ）「【００６２】続いて、上述した構成と機能を有するプリンタ１５の動作を、図１５乃至図２３に示すフローチャート及び図２４(a),(b),(c) に示す画面表示の例を用いて説明する。尚、この処理は、図１及び図２に示すプリンタ１５のＣＰＵ４０がプリンタ１５の各部及びデジタルカメラ１を制御することによって行われる。また、この処理は、デジタルカメラ１の通信端子１３とプリンタ１５の通信端子１９を通信ケーブル１４で接続し両者の電源をオンするこのによって開始される。
【００６３】先ず、図１５に示す画像の表示及びその印刷処理のゼネラルフローチャートにおいて、初めにデジタルカメラ１からの接続信号が入力しているか否かを判別する（ステップＳ１）。入力していなければ（Ｓ１がＮ）、入力するまで判別を繰り返して待機する。
【００６４】そして、接続信号が入力していれば（Ｓ１がＹ）、これに基づいてデジタルカメラ１の機種を確認する（ステップＳ２）。この処理では、デジタルカメラ１から出力されるＣＰＵ３０のＩＤ番号を示す信号により、画面に文字を表示する機能（前述の文字データのイメージデータを発生する機能）があるデジタルカメラであるか、文字を表示する機能がないデジタルカメラか、機種を判別する。
【００６５】続いて、
カメラ１のビューファインダ４に、図３に示したように、トップメニューを表示させる
トップメニューの表示データを読み出してデジタルカメラ１に転送し、更に表題の英文字と夫々のアイコンに点描される英文字のデータを認識されている機種に応じてキャラクタコード又はビットマップデータの形で表示用アドレスを付加してデジタルカメラ１に転送する
【００６６】このキー入力で、「ＭＥＮＵ」キー１８ｆ又は「ＢＡＣＫ」キー１８ｇが入力操作されたときは上記ステップＳ４の判別を繰り返す。すなわち、ここでは「ＭＥＮＵ」キー１８ｆ又は「ＢＡＣＫ」キー１８ｇ入力操作は、いずれの場合も無視される。
【００６８】一方、「ＥＡＳＹ」キー１８ｅが入力操作されたときはマルチ画面（多数コマ表示画面）の表示命令をデジタルカメラ１に出力する（ステップＳ８）。これにより、デジタルカメラ１のマルチ画面表示機能によって最初は図４(b) のように４コマ表示で最初から４枚の画像がビューファインダ４に表示される。
【００６９】上記の表示に続いて、再びステップＳ７に戻ってキー入力を待機し、さらに「ＥＡＳＹ」キー１８ｅの操作がなされていれば、再びステップＳ８で、マルチ画面（多数コマ表示画面）の表示命令をデジタルカメラ１に出力するということを繰り返す。これにより、二度目以降の「ＥＡＳＹ」キー１８ｅの操作によって、例えば図４(c) 、同図(a) 、同図(b) に示したように表示が巡回して変化し、或は図５(a),(b),(c) に示したように変化する。
【００７０】そして、そのステップＳ７のキー入力で、「＋」キー１８ｂ又は「−」キー１８ａが押下操作されていれば、コマ送り／コマ戻し命令をデジタルカメラ１に出力し（ステップＳ９）、再びステップＳ７に戻ってキー入力を待機するということを繰り返す。これにより、デジタルカメラ１のコマ送り／コマ戻し機能によって、図４(a),(b),(c) 、図６(a),(b) 、同図(d),(e) 、図７(a),(b) 又は同図(d),(e) に示したように、同じ表示コマ数の形態のまま、撮影番号の高いほう又は低いほうへ表示画面が切り替わる。
【００７１】このようにして、所望の画面表示のとき、「ＳＥＴ」キー１８ｃが押下操作されたことをステップＳ７で判別すると、印刷画像の確定処理を行う（ステップＳ１０）。この処理では、
プリンタ１５のＣＰＵ４０から、ビューファインダ４に現在表示されている画像のデジタル画像データをプリンタ１５に転送するよう指示信号がデジタルカメラ１に出力される
　
（ｆ）図１として、
「
　　　　　　　　　　　　　　　　　　　　　　　　」
　
（ｇ）図２として、
「
　　　　　　　　　　　　　　　　　　　　　　　　」
　
（ｈ）図３として、
「
　　　　　　　　　　　　　　　　　　　　　　　　」
　
　
　上記の事項を総合すると、刊行物１には、以下の発明が開示されていると認められる。（以下、「刊行物１発明」という。）
「デジタルカメラ１とプリンタ１５を通信ケーブル１４で接続したものであって、
　該デジタルカメラ１は、カラーＬＣＤからなるビューファインダ４と、
動作モードを画像撮影モード（ＲＥ）と画像再生モード（ＰＬ）に切り換えるためのモード切換スイッチ６と、
撮影記録済みの画像を順次呼び出して見るための「＋」キー１１及びいま見ている画像の前の画像に戻るための「−」キー１２とを少なくとも有し、
　該プリンタ１５のＣＰＵ４０が、該デジタルカメラ内の撮影済み画像のコマ数や、その解像度に関するデータを該プリンタ側に転送させたり、該プリンタがそのデータに基づく表示情報を生成して再転送し、該デジタルカメラの表示装置に表示させるなどのデジタルカメラ１の制御を行う、
プリンタとデジタルカメラの組み合わせ。」
　
３．対比・判断
　本願発明と刊行物１発明とを対比する。
　まず、刊行物１発明における「カラーＬＣＤからなるビューファインダ４」は、本願発明における「表示可能なディスプレイ」に相当し、刊行物１発明における「動作モードを画像撮影モード（ＲＥ）と画像再生モード（ＰＬ）に切り換えるためのモード切換スイッチ６と、撮影記録済みの画像を順次呼び出して見るための「＋」キー１１及びいま見ている画像の前の画像に戻るための「−」キー１２と」は、本願発明における「１つ以上の選択メカニズム」に相当するから、刊行物１発明における「デジタルカメラ１」は、本願発明における「ａ）表示可能なディスプレイと、１つ以上の選択メカニズムとを含むディジタルカメラ」に相当する。
　また、刊行物１発明における「通信ケーブル１４」は、本願発明における「接続リンク」に相当し、刊行物１発明における「該プリンタ１５のＣＰＵ４０が、該デジタルカメラ内の撮影済み画像のコマ数や、その解像度に関するデータを該プリンタ側に転送させたり、該プリンタがそのデータに基づく表示情報を生成して再転送し、該デジタルカメラの表示装置に表示させるなどのデジタルカメラ１の制御を行う」構成は、本願発明における「前記ディジタルカメラの表示可能なディスプレイを制御するように動作可能な」構成に相当するから、刊行物１発明における「プリンタ１５」は、本願発明における「ｂ）接続リンクを介して前記ディジタルカメラに接続されるフォトプリンタであって、前記ディジタルカメラの表示可能なディスプレイを制御するように動作可能なフォトプリンタ」に相当する。
　そして、刊行物１発明における「プリンタとデジタルカメラの組み合わせ」は、本願発明における「フォトプリンタ構成」に相当する。
　
　したがって、両者は、
「ａ）表示可能なディスプレイと、１つ以上の選択メカニズムとを含むディジタルカメラと、
　ｂ）接続リンクを介して前記ディジタルカメラに接続されるフォトプリンタであって、前記ディジタルカメラの表示可能なディスプレイを制御するように動作可能なフォトプリンタと、を含むフォトプリンタ構成。」の点で一致し、両者に差異はない。
　
４．請求人の主張
　請求人は、平成１９年５月９日付けの手続補正書により補正された請求の理由において、「本願発明は、特許請求の範囲に記載された複数の発明の内、特に請求項１３及び請求項１７〜２０に記載された以下の発明に特徴を有するものです。・・・もし、これらの発明について特許性を認めていただけるのであれば、特許請求の範囲を補正する機会をお与え下さることをお願い申し上げる次第です。」と、請求項１３及び請求項１７〜２０の特許性を主張するとともに、補正の機会を希望する旨、記載している。
　しかしながら、審査官からの拒絶理由通知に対して補正がなされておらず、本願の特許請求の範囲は出願当初のままであり、かつ、審判請求の際に、請求項１３及び請求項１７〜２０の特許性を主張するのであれば、それ以外の請求項を削除するなどの補正が可能であったにもかかわらず、何ら対処していない。
　したがって、補正の機会を求める主張は、審判請求人が適切な対応を取らなかったことに起因するものであり、正当なものとはいえない。
　また、特許法が補正の時期的制限を設けていることの趣旨に鑑みても、当審から拒絶の理由を通知し、補正の機会を再度設けることは妥当ではない。
　以上のとおりであるから、当審において、補正の機会を設けることとはしない。
　
５．むすび
　以上のとおり、本願発明は刊行物１に記載された発明であるから、特許法第２９条第１項第３号の規定に該当し、特許を受けることができない。
　したがって、本願のその他の請求項に係る発明について検討するまでもなく、本願は拒絶すべきものである。
　
　よって、結論のとおり審決する。